(57)【要約】【課題】画質調整パラメータの値の変更が画像に如何なる効果を及ぼすかを、当該画質調整パラメータの値を変更しなくとも視覚的に把握することができ、画質調整操作における操作性を向上させる。【解決手段】テレビジョン受像機１００において、キー入力部１３により一の画質調整パラメータが選択された場合に、画質調整手段（ＣＰＵ１４２、画質調整プログラム１４５ｂ）は、当該一の画質調整パラメータ変更前の元画像と、当該元画像よりも画質調整パラメータの値が大きい第１の参考画像及び／又は当該元画像よりも画質調整パラメータの値が小さい第２の参考画像が表示画面１２ａに表示させ、キー入力部１３により一の画質調整パラメータの値を変更するための操作がなされた場合に、第１の参考画像及び／又は第２の参考画像を表示画面１２ａから消去する。【選択図】図１
2007181030.tif 000002
【特許請求の範囲】
【請求項１】
画像を表示する表示画面を備える画像表示装置において、
当該表示画面に表示される画像の画質を、画質調整パラメータの値の変更により調整する画質調整手段と、
複数の画質調整パラメータの中から一の画質調整パラメータを選択する選択手段と、
前記選択手段により選択された前記一の画質調整パラメータの値を変更するための操作を行う操作手段と、を備え、
前記画質調整手段は、
前記選択手段により前記一の画質調整パラメータが選択された場合、当該一の画質調整パラメータ変更前の元画像と、当該元画像よりも前記画質調整パラメータの値が大きい第１の参考画像及び／又は当該元画像よりも前記画質調整パラメータの値が小さい第２の参考画像を前記表示画面に表示させるとともに、前記操作手段により前記一の画質調整パラメータの値を変更するための操作がなされた場合に、前記第１の参考画像及び／又は前記第２の参考画像を前記表示画面から消去することを特徴とする画像表示装置。
【請求項２】
画像を表示する表示画面を備える画像表示装置において、
当該表示画面に表示される画像の画質を、画質調整パラメータの値の変更により調整する画質調整手段を備え、
前記画質調整手段は、前記画質調整パラメータの値の変更に際し、当該画質調整パラメータ変更前の元画像の画質調整パラメータの値と異なる予め設定された画質調整パラメータの値を用いた一乃至複数の参考画像を、前記表示画面に表示させることを特徴とする画像表示装置。
【請求項３】
前記画質調整手段は、前記元画像の画質調整パラメータの値の変更に際し、当該元画像と、当該元画像よりも前記画質調整パラメータの値が大きい第１の参考画像及び／又は当該元画像よりも前記画質調整パラメータの値が小さい第２の参考画像を前記表示画面に表示させることを特徴とする請求項２に記載の画像表示装置。
【請求項４】
前記画質調整手段は、前記元画像を前記表示画面全体に表示させるとともに、前記第１の参考画像及び／又は前記第２の参考画像を前記表示画面の一部に縮小させてピクチャーインピクチャー（ＰＩＰ）表示させることを特徴とする請求項３に記載の画像表示装置。
【請求項５】
前記画質調整手段は、
前記第１の参考画像又は前記第２の参考画像を前記表示画面全体に表示させるとともに、前記元画像を前記表示画面の一部に縮小させてピクチャーインピクチャー（ＰＩＰ）表示させることを特徴とする請求項３に記載の画像表示装置。
【請求項６】
複数の画質調整パラメータの中から一の画質調整パラメータを選択する選択手段を備え、
前記画質調整手段は、前記選択手段により前記一の画質調整パラメータが選択された場合、当該一の画質調整パラメータにおける前記参考画像を一定期間、前記表示画面に表示させた後、消去することを特徴とする請求項２〜５の何れか一項に記載の画像表示装置。
【発明の詳細な説明】
【技術分野】
【０００１】
本発明は、画像を表示させる表示画面を備える画像表示装置に関する。
【背景技術】
【０００２】
従来、テレビジョン受像機等の画像表示装置において、表示画面に表示される画像の画質を、ユーザが自在に調整できる機能を備えたものが数多く開発されている。これらの画質調整機能を備えた画像表示装置では、画質調整パラメータの値の設定を変更することにより画質の調整を行うこととなるが、ＢＲＩＧＨＴＮＥＳＳ、ＳＨＡＲＰＮＥＳＳ等の画質調整パラメータは、ユーザ側において一般的に知られているとは限らず、ユーザにとってその意味が不確かであることが多々ある。そのため、ユーザは、画質の調整操作において、変更する画質調整パラメータが画像において如何なる効果を及ぼすかを把握することなく操作を行う場合がある。
【０００３】
画質の調整を好適に行うための技術として、例えば、特許文献１には、表示画面を左領域と右領域とに２分割して、原画像の左部分を左領域に表示すると同時に、原画像の右部分を画質調整した状態の画像を右領域に表示させ、当該状態において、調整の方向や程度を変えることにより、簡単且つ迅速に最適な調整状態を設定することができる画質調整装置が開示されている。
また、特許文献２には、画質調節パラメータを変更するためのメニューウィンドウの一部にプレビューウィンドウを設け、画質調整パラメータが変更されたとき、プレビューウィンドウ内の映像のみ変更された画質調整パラメータに基づく画質に調整したものを表示し、それ以外のエリアには画質調整パラメータ変更前の映像を表示し、両者を比較しながら画質調整パラメータの変更を可能とすることにより、再生される映像の画質の調整を容易にしたビデオ再生装置が開示されている。
【特許文献１】特開２００１−２６８４７５号公報
【特許文献２】特開２００２−１５２５５４号公報
【発明の開示】
【発明が解決しようとする課題】
【０００４】
しかしながら、特許文献１及び２に開示された画質調整の技術では、ユーザは、画質調整パラメータの値を変更することにより初めて、変更中の画質調整パラメータが画像に如何なる効果を及ぼすかを知ることとなるため、変更する必要のない画質調整パラメータの値を変更してしまい元の画像に戻すために余計な手間がかかる等、操作性が悪いという問題があった。
【０００５】
本発明は、上記課題を解決するためになされたものであり、画質調整パラメータの値の変更が画像に如何なる効果を及ぼすかを、当該画質調整パラメータの値を変更しなくとも視覚的に把握することができ、画質調整操作における操作性が向上した画像表示装置を提供することである。
【課題を解決するための手段】
【０００６】
以上の課題を解決するため、請求項１に記載の発明は、画像を表示する表示画面を備える画像表示装置において、
当該表示画面に表示される画像の画質を、画質調整パラメータの値の変更により調整する画質調整手段と、
複数の画質調整パラメータの中から一の画質調整パラメータを選択する選択手段と、
前記選択手段により選択された前記一の画質調整パラメータの値を変更するための操作を行う操作手段と、を備え、
前記画質調整手段は、
前記選択手段により前記一の画質調整パラメータが選択された場合、当該一の画質調整パラメータ変更前の元画像と、当該元画像よりも前記画質調整パラメータの値が大きい第１の参考画像及び／又は当該元画像よりも前記画質調整パラメータの値が小さい第２の参考画像を前記表示画面に表示させるとともに、前記操作手段により前記一の画質調整パラメータの値を変更するための操作がなされた場合に、前記第１の参考画像及び／又は前記第２の参考画像を前記表示画面から消去することを特徴とする。
【０００７】
請求項２に記載の発明は、画像を表示する表示画面を備える画像表示装置において、
当該表示画面に表示される画像の画質を、画質調整パラメータの値の変更により調整する画質調整手段を備え、
前記画質調整手段は、前記画質調整パラメータの値の変更に際し、当該画質調整パラメータ変更前の元画像の画質調整パラメータの値と異なる予め設定された画質調整パラメータの値を用いた一乃至複数の参考画像を、前記表示画面に表示させることを特徴とする。
【０００８】
請求項３に記載の発明は、請求項２に記載の画像表示装置において、前記画質調整手段は、前記元画像の画質調整パラメータの値の変更に際し、当該元画像と、当該元画像よりも前記画質調整パラメータの値が大きい第１の参考画像及び／又は当該元画像よりも前記画質調整パラメータの値が小さい第２の参考画像を前記表示画面に表示させることを特徴とする。
【０００９】
請求項４に記載の発明は、請求項３に記載の画像表示装置において、前記画質調整手段は、前記元画像を前記表示画面全体に表示させるとともに、前記第１の参考画像及び／又は前記第２の参考画像を前記表示画面の一部に縮小させてピクチャーインピクチャー（ＰＩＰ）表示させることを特徴とする。
【００１０】
請求項５に記載の発明は、請求項３に記載の画像表示装置において、前記画質調整手段は、
前記第１の参考画像又は前記第２の参考画像を前記表示画面全体に表示させるとともに、前記元画像を前記表示画面の一部に縮小させてピクチャーインピクチャー（ＰＩＰ）表示させることを特徴とする。
【００１１】
請求項６に記載の発明は、請求項２〜５の何れか一項に記載の画像表示装置において、複数の画質調整パラメータの中から一の画質調整パラメータを選択する選択手段を備え、
前記画質調整手段は、前記選択手段により前記一の画質調整パラメータが選択された場合、当該一の画質調整パラメータにおける前記参考画像を一定期間、前記表示画面に表示させた後、消去することを特徴とする。
【発明の効果】
【００１２】
請求項１に記載の発明によれば、画像表示装置において、画質調整手段により、選択手段により一の画質調整パラメータが選択された場合に、当該一の画質調整パラメータ変更前の元画像と、当該元画像よりも画質調整パラメータの値が大きい第１の参考画像及び／又は当該元画像よりも画質調整パラメータの値が小さい第２の参考画像が表示画面に表示されるので、元画像と、第１の参考画像及び／又は第２の参考画像を同時に見比べることが可能となって、画質調整パラメータの値の変更が元画像に如何なる効果を及ぼすかを、該画質調整パラメータの値を変更しなくとも視覚的に把握することができ、より好適に、最適な画質調整パラメータの値を有する画像に変更することができる。
また、操作手段により一の画質調整パラメータの値を変更するための操作がなされた場合に、第１の参考画像及び／又は第２の参考画像を表示画面から消去するので、参考画像を表示又は非表示させるための特別な操作が不必要となって、画質調整操作における操作性を向上させることができる。
【００１３】
請求項２に記載の発明によれば、画像表示装置において、画質調整手段により、画質調整パラメータの値の変更に際し、当該画質調整パラメータ変更前の元画像の画質調整パラメータの値と異なる一乃至複数の予め設定された画質調整パラメータの値の参考画像が、表示画面に表示されるので、当該参考画像によって、画質調整パラメータの値の変更が元画像に如何なる効果を及ぼすかを、当該画質調整パラメータの値を変更しなくとも視覚的に把握することができ、画質調整操作における操作性を向上させることができる。
【００１４】
請求項３に記載の発明によれば、請求項２に記載の発明の効果が得られるのは無論のこと、画質調整手段により、元画像の画質調整パラメータの値の変更に際し、当該元画像と、当該元画像よりも画質調整パラメータの値が大きい第１の参考画像及び／又は当該元画像よりも画質調整パラメータの値が小さい第２の参考画像が表示画面に表示されるので、当該第１の参考画像及び／又は第２の参考画像によって、元画像よりも、当該画質調整パラメータの値を大きくした場合の元画像の変化及び／又は当該画質調整パラメータの値を小さくした場合の元画像の変化を視覚的に把握することができる。
【００１５】
請求項４に記載の発明によれば、請求項３に記載の発明の効果が得られるのは無論のこと、画質調整手段により、元画像が表示画面全体に表示され、第１の参考画像及び／又は第２の参考画像が表示画面の一部に縮小されてピクチャーインピクチャー（ＰＩＰ）表示されるので、ユーザは、元画像と、第１の参考画像及び／又は第２の参考画像を同時に見比べることが可能となって、より好適に、最適な画質調整パラメータの値に変更することができる。
【００１６】
請求項５に記載の発明によれば、請求項３に記載の発明の効果が得られるのは無論のこと、画質調整手段により、第１の参考画像又は第２の参考画像が表示画面全体に表示されるとともに、元画像が表示画面の一部に縮小されてピクチャーインピクチャー（ＰＩＰ）表示されるので、ユーザは、第１の参考画像又は第２の参考画像と、元画像を同時に見比べることが可能となって、より好適に、最適な画質調整パラメータの値に変更することができる。
【００１７】
請求項６に記載の発明によれば、請求項２〜５の何れか一項に記載の発明の効果が得られるのは無論のこと、画質調整手段により、選択手段により一の画質調整パラメータが選択された場合、当該一の画質調整パラメータにおける参考画像が一定期間、表示画面に表示された後、消去されるので、参考画像を表示又は非表示させるための特別な操作が不必要となって、画質調整操作における操作性を向上させることができる。
【発明を実施するための最良の形態】
【００１８】
以下、本発明の実施の形態を、図面を参照しながら詳細に説明する。
なお、本実施形態では、画像表示装置としてテレビジョン受像機を取り上げて説明を行う。
【００１９】
（実施形態１）
本実施形態１におけるテレビジョン受像機１００は、ユーザが、表示画面１２ａ（図１参照）に表示される画像の画質を調整できる画質調整機能を有しており、画質の調整は、明るさ、コントラスト等の画質調整パラメータの値の変更により行われる。この画質調整操作における画質調整パラメータの変更に際して、表示画面１２ａには、画質調整パラメータ変更前、すなわち画質調整前の画像（元画像）が表示画面１２ａ全体に表示されるとともに、当該画質調整パラメータの値が大きい画像（第１の参考画像）及び／又は当該画質調整パラメータの値が小さい画像（第２の参考画像）が、表示画面１２ａの一部に縮小されて表示されるピクチャーインピクチャー（ＰＩＰ）表示がされる。ユーザは当該表示画面１２ａにＰＩＰ表示された元画像と、第１の参考画像及び／又は第２の参考画像とを見比べることにより、画質調整パラメータの値を実際に変更することなく、当該画質調整パラメータの値の変更が画像に如何なる影響を及ぼすかを視覚的に把握し得ることとなり、より好適に、最適な画質調整パラメータの値に変更することができる。
【００２０】
図１は、本実施形態１のテレビジョン受像機１００の要部構成を示すブロック図である。
図１に示すように、本実施形態１のテレビジョン受像機１００は、例えば、放送信号を受信するアンテナ１と、アンテナ１により入力された所定の周波数の放送信号を選局するチューナ部２と、チューナ部２により選局された放送信号を復調する復調部３と、復調部３により復調された映像信号を、メイン画像処理部８と、サブ画像処理部９とに分配して出力する分配部４と、分配部４においてメイン画像処理部８側に出力された映像信号から同期信号を分離する同期分離回路５と、分配部４においてサブ画像処理部９側に出力された映像信号から同期信号を分離する同期分離回路６と、復調部３から分配部４を介して入力された映像信号に対して所定の画像処理を行うメイン画像処理部８と、復調部３から分配部４を介して入力された映像信号に対して所定の画像処理を行うサブ画像処理部９と、メイン画像処理部８から入力される映像信号と、サブ画像処理部９から入力される映像信号とを合成する合成部１０と、表示部１２における偏向制御を行う偏向駆動部１１と、合成部１０から入力される映像信号に基づく画像を表示させる表示部１２と、ユーザによるキー操作が行われるキー入力部１３と、テレビジョン受像機１００全体を統括制御する制御部１４と、各部を接続する制御バス１５と、等を備えて構成されている。
【００２１】
アンテナ１は、例えば、屋外において所定の方向に向けて配置されており、図示しないテレビジョン放送局から発信される高周波（ＲＦ）の放送信号を受信する。
チューナ部２は、制御部１４からの制御信号に応じて、アンテナ１で受信された放送信号から、特定周波数帯の放送信号を取り出し、当該放送信号を所定の中間周波数を有する中間周波（ＩＦ）信号に変換して、復調部３に出力する。
復調部３は、チューナ部２から入力された中間周波信号を増幅するとともに、映像中間周波信号と音声中間周波信号とに分離して、当該分離により得られた映像中間周波信号を検波し、映像信号を取り出して、分配部４に供給する。
分配部４は、復調部３において検波された映像信号を、メイン画像処理部８と、サブ画像処理部９と、に分配して出力する。
【００２２】
ここで、メイン画像処理部８には、元画像を生成するための映像信号が入力される。また、サブ画像処理部９には、第１の参考画像及び／又は第２の参考画像を生成するための映像信号が入力される。
また、これらのメイン画像処理部８及びサブ画像処理部９に入力される元画像、第１の参考画像及び第２の参考画像用の映像信号は、同一の映像信号であり、例えば、アンテナ１によって受信された映像信号が、分配部４において分配処理されることにより、それぞれ生成される。
なお、画質調整処理以外の通常の処理における映像信号は、メイン画像処理部８に入力されることとなる。
【００２３】
同期分離回路５は、メイン画像処理部８に入力される元画像用の映像信号から、垂直同期信号及び水平同期信号を取り出し、制御部１４に出力する。また、同期分離回路６は、サブ画像処理部９に入力される第１の参考画像用の映像信号及び／又は第２の参考画像用の映像信号から、それぞれ垂直同期信号及び水平同期信号を取り出し、制御部１４に出力する。具体的には、同期分離回路５、６は、例えば、同期信号と映像信号との振幅の差を利用して、トランジスタのカットオフ特性により映像信号を切り取る処理等により、垂直同期信号及び水平同期信号を取り出す処理を行っている。
制御部１４は、同期分離回路５から入力された元画像用の映像信号に基づいて、合成部１０を制御するための合成制御信号を生成して合成部１０に出力する。また、制御部１４は、同期分離回路６から入力された第１の参考画像用の映像信号又は第２の参考画像用の映像信号から分離された垂直同期信号及び水平同期信号に基づいて、画像メモリ９５（図２参照）への書き込みのタイミングを制御するためのタイミング制御信号を生成してサブ画像処理部９に出力するととともに、同期分離回路５から入力された元画像用の映像信号から分離された垂直同期信号、水平同期信号に基づいて、画像メモリ９５からの読み出しのタイミングを制御するためのタイミング制御信号を生成して、サブ画像処理部９に出力する。
【００２４】
サブ画像処理部９は、分配部４から入力された第１の参考画像用の映像信号及び／又は第２の参考画像用の映像信号に対して所定の画像処理を行い、ＲＧＢ信号を生成して合成部１０に出力する。
具体的には、サブ画像処理部９は、例えば図２に示すように、Ｙ／Ｃ分離回路９１と、色復調回路９２と、サブ画質調整部９３と、Ａ／Ｄ変換器９４と、画像メモリ９５と、Ｄ／Ａ変換器９６と、マトリクス回路９７と、出力回路９８と、等を備えて構成されている。
【００２５】
Ｙ／Ｃ分離回路９１は、入力された映像信号から輝度信号Ｙと色信号Ｃと分離して取り出す処理を行う。当該Ｙ／Ｃ分離回路９１において分離される輝度信号Ｙはサブ画質調整部９３に出力され、一方、色信号Ｃは色復調回路９２に供給される。
色復調回路９２は、Ｙ／Ｃ分離回路９１から入力された色信号Ｃを、Ｒ−Ｙ、Ｂ−Ｙ及びＧ−Ｙの色差信号に復調して、サブ画質調整部９３に出力する。
【００２６】
サブ画質調整部９３は、Ｙ／Ｃ分離回路９１で分離された輝度信号Ｙ及び色復調回路９２で復調されたＲ−Ｙ、Ｂ−Ｙ、Ｇ−Ｙの色差信号に対して、制御部１４から出力される画質調整信号に基づいて、明るさ、コントラスト、色の濃さ、色合い、シャープネス等の各種画質調整を行い、後段のＡ／Ｄ変換器９４に出力する。
具体的には、サブ画質調整部９３では、輝度信号Ｙに対して、明るさ調整、コントラスト調整、シャープネス調整等の処理が行われるとともに、Ｒ−Ｙ、Ｂ−Ｙ、Ｇ−Ｙの色差信号に対して色の濃さ調整、色合い調整等の画質調整が行われる。
【００２７】
Ａ／Ｄ変換器９４は、輝度信号Ｙと、Ｒ−Ｙ、Ｂ−Ｙ、Ｇ−Ｙの色差信号をディジタル信号に変換し、画像メモリ９５に出力する。
画像メモリ９５は、例えば、フィールドメモリ等から構成されており、Ａ／Ｄ変換器９４から入力されたデータが書き込まれる。すなわち、当該画像メモリ９５は、第１の参考画像用の映像信号に基づくデータと、第２の参考画像用の映像信号に基づくデータとを別領域にそれぞれ記憶させるものである。
当該画像メモリ９５への書き込みは、第１の参考画像用の映像信号及び／又は第２の参考画像用の映像信号から分離された垂直同期信号及び水平同期信号に基づいて、制御部１４において生成されたタイミング制御信号に基づくタイミング制御により行われる。すなわち、画像メモリ９５への書き込みは、第１の参考画像及び／又は第２の参考画像の同期信号に同期して行われ、画像メモリ９５への書き込みの際に走査線の間引き等の処理が行われることにより、第１の参考画像及び／又は第２の参考画像の画面サイズが縮小されることとなる。一方、当該画像メモリ９５からのデータの読み出しは、元画像用の映像信号から分離された垂直同期信号及び水平同期信号に基づいて制御部１４において生成されたタイミング制御信号に基づくタイミング制御により行われることとなる。
【００２８】
Ｄ／Ａ変換器９６は、画像メモリ９５から読み出されたデータをアナログ信号に変換して、マトリクス回路９７に出力する。
マトリクス回路９７は、輝度信号Ｙと、Ｒ−Ｙ、Ｂ−Ｙ、Ｇ−Ｙの色差信号とをマトリクスしてＲＧＢの三原色信号を生成する。マトリクス回路９７で生成された当該ＲＧＢ信号は、後段の出力回路９８においてエンコード処理等の所定の処理が施されて、合成部１０に出力されることとなる。
【００２９】
メイン画像処理部８は、Ｙ／Ｃ分離回路（図示省略）と、メイン画質調整部８１と、色復調回路（図示省略）と、マトリクス回路（図示省略）と、出力回路（図示省略）と、を備えて構成されており、元画像用の映像信号に対して所定の画像処理を行い、ＲＧＢ信号を生成して合成部１０に出力する。
当該メイン画画像処理部８は、メイン画質調整部８１において、Ｙ／Ｃ分離回路で分離された輝度信号Ｙ及び色復調回路で復調されたＲ−Ｙ、Ｂ−Ｙ、Ｇ−Ｙの色差信号に対して、制御部１４から出力される画質調整信号に基づいて、明るさ、コントラスト、色の濃さ、色合い、シャープネス等の各種画質調整を行う。
なお、Ｙ／Ｃ分離回路、色復調回路、マトリクス回路、出力回路は前述のサブ画像処理部９における各部と同様の構成を有するため、ここでの説明は省略する。
【００３０】
合成部１０は、制御部１４からの合成制御信号に基づいて、メイン画像処理部８から入力される元画像用のＲＧＢ信号と、サブ画像処理部９から入力される第１の参考画像用或いは第２の参考画像用のＲＧＢ信号とに入力を切り換えることにより、画像合成を行う。
具体的には、合成部１０は、同期分離回路５から入力された元画像用の映像信号に基づいて生成された合成制御信号に基づく所定のタイミングで、メイン画像処理部８側或いはサブ画像処理部９側に、接続を切り換える処理を行うことにより、元画像用の映像信号に第１の参考画像用の映像信号及び／又は第２の参考画像用の映像信号を挿入させ、合成信号として表示部１２に出力する。その結果、表示画面１２ａには、表示画面１２ａ全体に元画像が表示され、当該表示画面１２ａ全体に表示された元画像の一部に、縮小画像である第１の参考画像及び／又は第２の参考画像が表示されるＰＩＰ表示が行われることとなる。
【００３１】
偏向駆動部１１は、同期分離回路５から入力された垂直同期信号及び水平同期信号により制御部１４において生成された垂直偏向信号及び水平偏向信号に基づいて、表示部１２における偏向制御を行う。
具体的には、偏向駆動部１１は、例えば、表示部１２に備わる図示しない水平及び垂直の偏向コイルに、同期分離回路５から入力された水平同期信号及び垂直同期信号に基づくのこぎり波電流を流し、それにより発生する磁界によって電子銃（図示省略）から発射される電子ビームの上下及び左右方向を制御する。
【００３２】
表示部１２は、表示画面１２ａ等を備えて構成されており、ＲＧＢの三つの電子銃から発射される電子ビームが、電子ビームの衝撃を受けて発光する結晶粒から成る蛍光面（図示省略）に、偏向駆動部１１による制御によって衝突することにより、合成部１０から出力された合成信号に基づく映像が表示画面１２ａに表示される。
【００３３】
キー入力部１３は、例えば、図示しないアップダウンキー等の各種のキーを備えており、それぞれのキーを押下操作すると、押下されたキーに対応する入力操作信号が制御部１４に出力されるようになっており、操作手段及び選択手段として機能する。
【００３４】
制御部１４は、Ｉ／Ｏポート１４１と、ＣＰＵ（Central Processing Unit）１４２と、ＲＡＭ（Random Access Memory）１４３と、ＥＥＰＲＯＭ（Electronically Erasable and Programmable Read Only Memory）１４４と、ＲＯＭ（Read Only Memory）１４５と、等を備えて構成されている。
【００３５】
ＣＰＵ１４２は、テレビジョン受像機１００の各部から制御バス１５及びＩ／Ｏポート１４１を介して入力された入力信号に応じて、ＲＯＭ１４５に格納された各種プログラムを実行するとともに、Ｉ／Ｏポート１４１及び制御バス１５を介して各部に各種プログラムの実行に基づく制御信号を出力することにより、テレビジョン受像機１００の動作全般を統括制御する。
【００３６】
ＲＡＭ１４３は、例えば、揮発性の半導体メモリであり、ＣＰＵ１４２によって各種プログラムが実行される際に生じる処理結果や、入力されたデータを一時的に記憶し、ＣＰＵ１４２のワークエリアとして機能する。
【００３７】
ＥＥＰＲＯＭ１４４は、例えば、書き換え可能な半導体メモリであり、ＣＰＵ１４２による画質調整プログラム１４５ｂ（後述）の実行により、ユーザにより設定された各画質パラメータの値をそれぞれ記憶する設定値データ１４４ａを格納している。
また、例えば、図示は省略するものの、各画質調整パラメータの初期設定値データが別領域に格納されていても良い。
【００３８】
ＲＯＭ１４５は、例えば、不揮発性の半導体メモリであり、ＣＰＵ１４２によって実行される各種の制御プログラム並びに各制御プログラムの処理にかかるデータ等を記憶するものである。具体的には、ＲＯＭ１４５には、選択プログラム１４５ａと、画質調整プログラム１４５ｂと、画質設定プログラム１４５ｃと、画像出力プログラム１４５ｄと、等の制御プログラムが格納されている。
【００３９】
選択プログラム１４５ａは、例えば、ＣＰＵ１４２に、複数の画質調整パラメータの中から一の画質調整パラメータを選択する機能を実現するためのプログラムである。
具体的には、ＣＰＵ１４２は、ユーザによるキー入力部１３の押下操作に基づいて制御部１４に入力された入力操作信号に基づいて、複数の画質調整パラメータの中から変更する一の画質調整パラメータをユーザに選択させるためのメニュー画面を表示させる。当該メニュー画面には、例えば図３に示すように、明るさ、コントラスト、色の濃さ、色合い、シャープネス等の変更可能な画質調整パラメータが一覧表示されており、ユーザは所望の画質調整パラメータの項目をキー入力部１３の操作により選択する。すると、当該選択操作に基づく入力操作信号が制御部１４に入力されて、当該一の画像パラメータが選択された画像パラメータとして記憶されることとなる。
ＣＰＵ１４２は、かかる選択プログラム１４５ａを実行することにより、キー入力部１３とともに選択手段として機能する。
【００４０】
画質調整プログラム１４５ｂは、例えば、ＣＰＵ１４２に、表示画面１２ａに表示される画像の画質を、画質調整パラメータの値の変更に基づいて調整する機能を実現するためのプログラムである。具体的には、画質調整プログラム１４５ｂは、ＣＰＵ１４２に、選択プログラム１４５ａの実行により一の画質調整パラメータが選択された場合に、当該一の画質調整パラメータ変更前の元画像を表示画面１２ａ全体に表示させるとともに、当該元画像よりも画質調整パラメータの値が大きい第１の参考画像及び／又は当該元画像よりも画質調整パラメータの値が小さい第２の参考画像を表示画面１２ａの一部に縮小させて表示させ、キー入力部１３により一の画質調整パラメータの値を変更するための操作がなされた場合に、当該第１の参考画像及び／又は第２の参考画像を表示画面１２ａから消去する機能を実現させる。
また、画質調整プログラム１４５ｂは、ＣＰＵ１４２に、選択プログラム１４５ａの実行により、一の画質調整パラメータが選択され、元画像と、第１の参考画像及び／又は第２の参考画像とが表示画面１２ａに表示された場合に、画質調整パラメータの値を変更するための操作がなされない場合であっても、当該一の画質調整パラメータにおける参考画像を一定期間（例えば、５秒間）表示画面１４ａに表示させた後、消去する機能を実現させる。
【００４１】
次に、画質調整プログラム１４５ｂにおけるＣＰＵ１４２の処理について、より具体的に説明する。
ＣＰＵ１４２は、選択プログラム１４５ａの実行によりユーザにより一の画質調整パラメータが選択された場合に、当該一の画質調整パラメータの値がＥＥＰＲＯＭ１４４に格納された設定値データ１４４ａの値となるような画質調整を行うための画質調整信号をメイン画質調整部８１に対して出力することにより、元画像用の映像信号に対して画質調整処理を施すとともに、後段の各部において前述した処理を施して表示部１２に出力させる。
また、ＣＰＵ１４２は、当該選択された画質調整パラメータの値が最大となるような画質調整を行うための画質調整信号をサブ画質調整部９３に対して出力することにより、画像メモリ９５への書き込みのタイミング制御によって縮小処理が施された第１の参考画像用の映像信号を当該画質調整パラメータの値が最大となる映像信号に変換するとともに、当該選択された画質調整パラメータの値が最小となるような画質調整を行うための画質調整信号をサブ画質調整部９３に対して出力することにより、画像メモリ９５への書き込みのタイミング制御によって縮小処理が施された第２の参考画像用の映像信号を当該画質調整パラメータの値が最小となる映像信号に変換する。そして、画質調整パラメータ値が最大となるよう変換された第１の参考画像用の映像信号と、画質調整パラメータ値が最小となるよう変換された第２の参考画像用の映像信号に対して、後段の各部において前述した処理を施して表示部１２に出力させる。
ＣＰＵ１４２によりこれらの処理が行われた結果、表示画面１２ａには、画質調整パラメータ変更前の元画像が表示画面１２ａ全体に表示され、表示画面１２ａ全体に表示された当該元画像の一部に、画質調整パラメータの値が最大である第１の参考画像及び／又は画質調整パラメータの値が最小である第２の参考画像とが縮小されてＰＩＰ表示されることとなる。
また、ＣＰＵ１４２は、元画像と、第１の参考画像及び／又は第２の参考画像とが表示画面１２ａにＰＩＰ表示された状態において、ユーザによるキー入力部１３の操作により当該画質調整パラメータの値を変更するためのアップダウンキー（図示省略）等の操作がなされた場合或いは一定期間経過後に、当該第１の参考画像及び／又は第２の参考画像を表示画面１２ａから消去させる。すなわち、ユーザによる画質調整パラメータ値変更のためのキー入力部１３の操作開始後或いは一定期間経過後は、前述したテレビジョン受像機１００の各部において、メイン画像処理部８に入力される映像信号に対しての処理のみが実行されることとなる。
ＣＰＵ１４２は、かかる画質調整プログラム１４５ｂを実行することにより、画質調整手段として機能する。
【００４２】
図４は、画質調整プログラム１４５ｂの実行により、ユーザにより一の画質調整パラメータが選択された場合に、ＣＰＵ１４２によって行われる画質調整プログラム１４５ｂに基づく表示画面１２ａの表示を例示した図である。
例えば、画質調整プログラム１４５ｂの実行により、ユーザのキー入力部１３の操作により「明るさ」の画質調整パラメータが選択され、当該選択操作に基づく入力操作信号が制御部１４に出力されると、ＣＰＵ１４２は、図４（ａ）に示すように、輝度値ｂｒ変更前（例えば、ｂｒ＝３１）の元画像を表示画面１２ａ全体に表示させるとともに、当該元画像の右下部分に輝度値ｂｒが最大（例えば、ｂｒ＝６２）の第１の参考画像を縮小表示させ、さらに、当該元画像の左下部分に輝度値ｂｒが最小（例えば、ｂｒ＝０）の第２の参考画像を縮小表示させる。ここで、元画像は、後述する画質設定プログラム１４５ｃの実行によりＥＥＰＲＯＭ１４４に記憶された設定値データ１４４ａの輝度値ｂｒ（例えば、ｂｒ＝３１）に基づいて、メイン画質調整部８１において画質調整処理が施されたものである。
また、ＣＰＵ１４２は、設定値データ１４４ａに基づく元画像の輝度値ｂｒが、最大（例えば、ｂｒ＝６２）であった場合には、図４（ｂ）に示すように、当該元画像を表示画面１２ａ全体に表示させるとともに、第１の参考画像は表示させずに、当該元画像の左下部分に輝度値ｂｒが最小（例えば、ｂｒ＝０）の第２の参考画像を縮小表示させる。さらに、ＣＰＵ１４２は、設定値データ１４４ａに基づく元画像の輝度値ｂｒが、最小（例えば、ｂｒ＝０）であった場合には、図４（ｃ）に示すように、当該元画像を表示画面１２ａ全体に表示させるとともに、第２の参考画像は表示させずに、当該元画像の右下部分に輝度値ｂｒが最大（例えば、ｂｒ＝６２）の第１の参考画像を縮小表示させる。
そして、ＣＰＵ１４２は、ユーザによるキー入力部１３のアップダウンキー等の操作がなされると、図４（ｄ）に示すように、元画像の右下部分及び／又は左下部分に表示された第１の参考画像及び／又は第２の参考画像を消去させる。
ＣＰＵ１４２は、その後、表示画面１２ａに元画像が表示された状態で、キー入力部１３による画質調整パラメータ変更の操作がされると、メイン画質調整部８１に対して当該操作に基づく画質調整信号を出力し、メイン画像処理部８に入力される映像信号に、当該操作に基づく画質調整処理を施して、表示画面１２ａに表示させることとなる。
【００４３】
画質設定プログラム１４５ｃは、例えば、ＣＰＵ１４２に、ユーザのキー入力部１３の操作により決定された画質調整パラメータの値の設定をＥＥＰＲＯＭ１４４に記憶させる機能を実現させるプログラムである。ＣＰＵ１４２による当該画質設定プログラム１４５ｃの実行によりＥＥＰＲＯＭ１４４に記憶された設定値データ１４４ａは、ＣＰＵ１４２による画質調整プログラム１４５ｂの実行の際に参照されて、メイン画質調整部８１において、元画像用の映像信号に当該設定値データ１４４ａに基づく画質調整処理が施されることとなるとともに、画像出力プログラム１４５ｄの実行の際に参照されて、メイン画質調整部８１において、映像信号に当該設定値データ１４４ａに基づく画質調整処理が施されることとなる。
【００４４】
画像出力プログラム１４５ｄは、例えば、ＣＰＵ１４２に、画質調整プログラム１４５ｂの実行によりＥＥＰＲＯＭ１４４に記憶された設定値データ１４４ａに基づいて、メイン画質調整部８１に所定の画質調整信号を出力することにより、映像信号に対して、明るさ、コントラスト等の画質調整処理を行う機能を実現させるプログラムである。
当該画像出力プログラム１４５ｄの実行により、表示画面１２ａには、ユーザにより設定された値の画質調整パラメータに基づく画像が表示されることとなる。
【００４５】
以上説明した本発明にかかる実施形態１のテレビジョン受像機１００によれば、選択プログラム１４５ａの実行により複数の画質調整パラメータのうちから、一の画質調整パラメータが選択された場合に、ＣＰＵ１４２による画質調整プログラム１４５ｂの実行により、当該一の画質調整パラメータ変更前の元画像と、当該元画像よりも画質調整パラメータの値が大きい第１の参考画像及び／又は当該元画像よりも画質調整パラメータの値が小さい第２の参考画像が表示画面１２ａに表示されるので、ユーザは、元画像と、第１の参考画像及び／又は第２の参考画像を同時に見比べることが可能となって、画質調整パラメータの値の変更が元画像に如何なる効果を及ぼすかを、当該画質調整パラメータの値を変更しなくとも視覚的に把握することができ、より好適に、最適な画質調整パラメータの値に変更することができることとなる。
また、ユーザのキー入力部１３による操作により、一の画質調整パラメータの値を変更するための操作がなされた場合或いは一定期間経過後に、第１の参考画像及び／又は第２の参考画像が表示画面１２ａから消去されるので、参考画像を表示又は非表示させるための特別な操作が不必要となって、画質調整操作における操作性を向上させることができる。
【００４６】
（実施形態２）
次に、本発明にかかる実施形態２のテレビジョン受像機２００について説明する。なお、本説明において、実施形態１と同一部分には同一符号を付し、異なる部分についてのみ説明を行うものとする。
【００４７】
本実施形態２におけるテレビジョン受像機２００は、ユーザが、表示画面１２ａ（図５参照）に表示される画像の画質を調整できる画質調整機能を有しており、画質の調整は、明るさ、コントラスト等の画質調整パラメータの値の変更により行われる。この画質調整操作における画質調整パラメータの変更に際して、表示画面１２ａには、当該画質調整パラメータの値が大きい画像（第１の参考画像）又は当該画質調整パラメータの値が小さい画像（第２の参考画像）が表示画面１２ａ全体に表示されるとともに、画質調整パラメータ変更前、すなわち画質調整前の画像（元画像）が、表示画面１２ａの一部に縮小されて表示されるピクチャーインピクチャー（ＰＩＰ）表示がされる。ユーザは当該表示画面１２ａにＰＩＰ表示された第１の参考画像又は第２の参考画像と、元画像とを見比べることにより、画質調整パラメータの値を実際に変更することなく、当該画質調整パラメータの値の変更が画像に如何なる影響を及ぼすかを視覚的に把握し得ることとなり、より好適に、最適な画質調整パラメータの値に変更することができる。
【００４８】
図５に示すように、本実施形態２のテレビジョン受像機２００は、例えば、放送信号を受信するアンテナ１と、アンテナ１により入力された所定の周波数の放送信号を選局するチューナ部２と、チューナ部２により選局された放送信号を復調する復調部３と、復調部３により復調された映像信号を、メイン画像処理部２７と、サブ画像処理部２６とに分配して出力する分配部４と、分配部４においてメイン画像処理部２７側に出力されたメイン映像信号から同期信号を分離する同期分離回路２３と、分配部４においてサブ画像処理部２６側に出力された映像信号から同期信号を分離する同期分離回路２４と、復調部３から分配部４を介して入力された映像信号に対して所定の画像処理を行うメイン画像処理部２７と、復調部３から分配部４を介して入力された映像信号に対して所定の画像処理を行うサブ画像処理部２６と、メイン画像処理部２７から入力される映像信号と、サブ画像処理部２６から入力される映像信号と、を合成する合成部１０と、表示部１２における偏向制御を行う偏向駆動部１１と、合成部１０から入力される映像信号に基づく画像を表示させる表示部１２と、ユーザによるキー操作が行われるキー入力部１３と、テレビジョン受像機２００全体を統括制御する制御部２８と、各部を接続する制御バス１５と、等を備えて構成されている。
【００４９】
サブ画像処理部２６には、元画像を生成するための映像信号が入力される。また、メイン画像処理部２７には、第１の参考画像及び第２の参考画像を生成するための映像信号が入力される。
また、これらのメイン画像処理部２７及びサブ画像処理部２６に入力される元画像、第１の参考画像及び第２の参考画像用の映像信号は、同一の映像信号であり、例えば、アンテナ１によって受信された映像信号が、分配部４において分配処理されることにより、それぞれ生成される。
なお、画質調整処理以外の通常の処理における映像信号は、メイン画像処理部２７に入力されることとなる。
【００５０】
サブ画像処理部２６は、分配部４から入力された元画像用の映像信号に対して所定の画像処理を行い、ＲＧＢ信号を生成して合成部１０に出力する。
具体的には、サブ画像処理部２６は、例えば図６に示すように、Ｙ／Ｃ分離回路９１と、色復調回路９２と、サブ画質調整部２６１と、Ａ／Ｄ変換器９４と、画像メモリ２６２と、Ｄ／Ａ変換器９６と、マトリクス回路９７と、出力回路９８と、を備えて構成されている。
【００５１】
画像メモリ２６２は、例えば、フィールドメモリ等から構成されており、Ａ／Ｄ変換器９４から入力されたデータが書き込まれる。すなわち、当該画像メモリ２６２は、元画像用の映像信号に基づくデータを記憶させるものである。
当該画像メモリ２６２への書き込みは、元画像用の映像信号から分離された垂直同期信号及び水平同期信号に基づいて、制御部２８において生成されたタイミング制御信号に基づいて行われる。すなわち、画像メモリ２６２への書き込みは、元画像の同期信号に同期して行われ、画像メモリ２６２への書き込みの際に走査線の間引き等の処理が行われることにより、元画像の画面サイズが縮小されることとなる。一方、当該画像メモリ２６２からのデータの読み出しは、第１の参考画像又は第２の参考画像用の映像信号から分離された垂直同期信号及び水平同期信号に基づいて制御部２８において生成されたタイミング制御信号に基づくタイミング制御により行われることとなる。
【００５２】
メイン画像処理部２７は、Ｙ／Ｃ分離回路（図示省略）と、メイン画質調整部２７１と、色復調回路（図示省略）と、マトリクス回路（図示省略）と、出力回路（図示省略）と、を備えて構成されており、分配部４から入力された第１の参考画像用又は第２の参考画像用の映像信号に対して画質調整処理を行い、ＲＧＢ信号を生成して合成部１０に出力する。
当該メイン画像処理部２７は、メイン画質調整部２７１において、Ｙ／Ｃ分離回路で分離された輝度信号Ｙ及び色復調回路で復調されたＲ−Ｙ、Ｂ−Ｙ、Ｇ−Ｙの色差信号に対して、制御部２８から出力される画質調整信号に基づいて、明るさ、コントラスト、色の濃さ、色合い、シャープネス等の各種画質調整を行う。
【００５３】
合成部１０は、制御部２８からの合成制御信号に基づいて、メイン画像処理部２７から入力される第１の参考画像用或いは第２の参考画像用のＲＧＢ信号と、サブ画像処理部２６から入力される元画像用のＲＧＢ信号とに入力を切り換えることにより、画像合成を行う。
具体的には、合成部１０は、同期分離回路２３から入力された元画像用の映像信号に基づいて生成された合成制御信号に基づく所定のタイミングで、メイン画像処理部２７側或いはサブ画像処理部２６側に、接続を切り換える処理を行うことにより、第１の参考画像用の映像信号又は第２の参考画像用の映像信号に元画像用の映像信号を挿入させ、合成信号として表示部１２に出力する。その結果、表示画面１２ａには、表示画面１２ａ全体に第１の参考画像又は第２の参考画像が表示され、表示画面１２ａ全体に表示された当該第１の参考画像又は第２の参考画像の一部に、縮小画像である元画像が表示されるＰＩＰ表示が行われることとなる。
【００５４】
制御部２８は、Ｉ／Ｏポート１４１と、ＣＰＵ（Central Processing Unit）２８１と、ＲＡＭ（Random Access Memory）１４３と、ＥＥＰＲＯＭ（Electronically Erasable and Programmable Read Only Memory）１４４と、ＲＯＭ（Read Only Memory）２８２と、等を備えて構成されている。
【００５５】
ＣＰＵ２８１は、テレビジョン受像機２００の各部から制御バス１５及びＩ／Ｏポート１４１を介して入力された入力信号に応じて、ＲＯＭ２８２に格納された各種プログラムを実行するとともに、Ｉ／Ｏポート１４１及び制御バス１５を介して各部に各種プログラムの実行に基づく制御信号を出力することにより、テレビジョン受像機２００の動作全般を統括制御する。
【００５６】
ＲＯＭ２８２は、例えば、不揮発性の半導体メモリであり、ＣＰＵ２８１によって実行される各種の制御プログラム並びに各制御プログラムの処理にかかるデータ等を記憶するものである。具体的には、ＲＯＭ２８２には、選択プログラム２８２ａと、画質調整プログラム２８２ｂと、画質設定プログラム２８２ｃと、画像出力プログラム２８２ｄと等の制御プログラムが格納されている。
【００５７】
選択プログラム２８２ａは、例えば、ＣＰＵ２８１に、複数の画質調整パラメータの中から一の画質調整パラメータを選択する機能を実現するためのプログラムである。
具体的には、ＣＰＵ２８１は、ユーザによるキー入力部１３の押下操作に基づいて制御部２８に入力された入力操作信号に基づいて、複数の画質調整パラメータの中から変更する一の画質調整パラメータをユーザに選択させるためのメニュー画面を表示させる。当該メニュー画面には、例えば図３に示すように、明るさ、コントラスト、色の濃さ、色合い、シャープネス等の変更可能な画質調整パラメータが一覧表示されており、ユーザは所望の画質調整パラメータの項目をキー入力部１３の操作により選択する。すると、当該選択操作に基づく入力操作信号が制御部２８に入力されて、当該一の画像パラメータが選択された画像パラメータとして記憶されることとなる。
ＣＰＵ２８１は、かかる選択プログラム２８２ａを実行することにより、キー入力部１３とともに選択手段として機能する。
【００５８】
画質調整プログラム２８２ｂは、例えば、ＣＰＵ２８１に、表示画面１２ａに表示される画像の画質を、画質調整パラメータの値の変更に基づいて調整する機能を実現するためのプログラムである。具体的には、画質調整プログラム２８２ｂは、ＣＰＵ２８１に、選択プログラム２８２ａの実行により一の画質調整パラメータが選択された場合に、当該一の画質調整パラメータ変更前の元画像を表示画面１２ａの一部に縮小させて表示させるとともに、当該元画像よりも画質調整パラメータの値が大きい第１の参考画像又は当該元画像よりも画質調整パラメータの値が小さい第２の参考画像を、表示画面１２ａ全体に表示させ、キー入力部１３により一の画質調整パラメータの値を変更するための操作がなされた場合に、当該第１の参考画像又は第２の参考画像を表示画面１２ａから消去する機能を実現させる。
また、画質調整プログラム２８２ｂは、ＣＰＵ２８１に、選択プログラム２８２ａの実行により、一の画質調整パラメータが選択され、元画像と、第１の参考画像及び／又は第２の参考画像とが表示画面１２ａに表示された場合に、画質調整パラメータの値を変更するための操作がなされない場合であっても、当該一の画質調整パラメータにおける参考画像を一定期間（例えば、５秒間）表示画面１４ａに表示させた後、消去する機能を実現させる。
【００５９】
次に、画質調整プログラム２８２ｂにおけるＣＰＵ２８１の処理について、より具体的に説明する。
ＣＰＵ２８１は、選択プログラム２８２ａの実行によりユーザにより一の画質調整パラメータが選択された場合に、当該選択された画質調整パラメータの値が最大となるような画質調整を行うための画質調整信号をメイン画質調整部２７１に対して出力することにより、第１の参考画像用の映像信号を当該画質調整パラメータの値が最大となる映像信号に変換するとともに、当該選択された画質調整パラメータの値が最小となるような画質調整を行うための画質調整信号をメイン画質調整部２７１に対して出力することにより、第２の参考画像用の映像信号を当該画質調整パラメータの値が最小となる映像信号に変換する。そして、画質調整パラメータ値が最大となるよう変換された第１の参考画像用の映像信号と、画質調整パラメータ値が最小となるよう変換された第２の参考画像用の映像信号に対して、後段の各部において前述した処理を施して、所定の時間間隔で交互に、表示部１２に出力させる。
また、ＣＰＵ２８１は、ＥＥＰＲＯＭ１４４に格納された設定値データ１４４ａの値の画質調整パラメータとなるような画質調整を行うための画質調整信号をサブ画質調整部２６１に対して出力することにより、画像メモリ２６２への書き込みのタイミング制御によって縮小処理が施された元画像用の映像信号に対して画質調整処理を施すとともに、後段の各部において前述した処理を施して表示部１２に出力させる。
ＣＰＵ２８１によりこれらの処理が行われた結果、表示画面１２ａには、画質調整パラメータの値が最大である第１の参考画像が表示画面１２ａ全体に表示されて、表示画面１２ａ全体に表示された当該第１の参考画像の一部に、画質調整パラメータ変更前の元画像が縮小されてＰＩＰ表示されるとともに、所定時間経過後に、画質調整パラメータの値が最小である第２の参考画像が表示画面１２ａ全体に表示されて、表示画面１２ａ全体に表示された当該第２の参考画像の一部に、画質調整パラメータ変更前の元画像が縮小されてＰＩＰ表示されることとなる。
また、ＣＰＵ２８１は、元画像と、第１の参考画像又は第２の参考画像とが表示画面１２ａにＰＩＰ表示された状態において、ユーザによるキー入力部１３の操作により当該画質調整パラメータの値を変更するためのアップダウンキー（図示省略）等の操作がなされた場合或いは一定期間経過後に、当該第１の参考画像又は第２の参考画像を表示画面１２ａから消去させ、画質調整パラメータ変更前の元画像を表示画面１２ａ全体に表示させる。すなわち、ユーザによる画質調整パラメータ値変更のためのキー入力部１３の操作開始後は、前述したテレビジョン受像機２００の各部において、メイン画像処理部２７に入力される映像信号に対しての処理のみが実行されることとなる。
【００６０】
図７は、画質調整プログラム２８２ｂの実行により、ユーザにより一の画質調整パラメータが選択された場合に、ＣＰＵ２８１によって行われる画質調整プログラム２８２ｂに基づく表示画面１２ａの表示を例示した図である。
例えば、画質調整プログラム２８２ｂの実行により、ユーザのキー入力部１３の操作により「明るさ」の画質調整パラメータが選択され、当該選択操作に基づく入力操作信号が制御部２８に出力されると、ＣＰＵ２８１は、図７（ａ）に示すように、輝度値ｂｒが最大（例えば、ｂｒ＝６２）の第１の参考画像を表示画面１２ａ全体に表示させるとともに、当該第１の参考画像の右下部分に、輝度値ｂｒ変更前（例えば、ｂｒ＝３１）の元画像を縮小表示させる。そして、所定時間（例えば、３秒間）経過後に、ＣＰＵ２８１は、図７（ｂ）に示すように、輝度値ｂｒが最小（例えば、ｂｒ＝０）の第２の参考画像を表示画面１２ａ全体に表示させるとともに、当該第２の参考画像の右下部分に、輝度値ｂｒ変更前（例えば、ｂｒ＝３１）の元画像を縮小表示させる。さらに、ＣＰＵ２８１は、所定時間（例えば、３秒間）経過後に、再び、図７（ａ）に示す第１の参考画像が表示画面１２ａ全体に表示された状態に戻す。ここで、元画像は、後述する画質設定プログラム２８２ｃの実行によりＥＥＰＲＯＭ１４４に記憶された設定値データ１４４ａの輝度値ｂｒ（例えば、ｂｒ＝３１）に基づいて、メイン画質調整部２７１において画質調整処理が施されたものである。
そして、ユーザによるキー入力部１３のアップダウンキー等の操作がなされると、ＣＰＵ２８１は、図７（ｃ）に示すように、表示画面１２ａに表示された第１の参考画像或いは第２の参考画像と、縮小表示された元画像とを消去させ、さらに、元画像を表示画面１２ａ全体に表示させる。
その後、ＣＰＵ２８１は、表示画面１２ａに元画像が表示された状態で、キー入力部１３による画質調整パラメータ変更の操作がされると、メイン画質調整部２７１に対して所定の画質調整信号を出力し、メイン画像処理部２７に入力される映像信号に当該操作に基づく画質調整処理を施して、表示画面１２ａに表示させることとなる。
【００６１】
画質設定プログラム２８２ｃは、例えば、ＣＰＵ２８１に、ユーザのキー入力部１３の操作により決定された画質調整パラメータの値の設定をＥＥＰＲＯＭ１４４に記憶させる機能を実現させるプログラムである。ＣＰＵ２８１による当該画質設定プログラム２８２ｃの実行によりＥＥＰＲＯＭ１４４に記憶された設定値データ１４４ａは、ＣＰＵ２８１による画質調整プログラム２８２ｂの実行の際に参照されて、サブ画質調整部２６１において、元画像用の映像信号に当該設定値データ１４４ａに基づく画質調整処理が施されることとなるとともに、画像出力プログラム２８２ｄの実行の際に参照されて、メイン画質調整部２７１において、映像信号に当該設定値データ１４４ａに基づく画質調整処理が施されることとなる。
【００６２】
画像出力プログラム２８２ｄは、例えば、ＣＰＵ２８１に、画質調整プログラム２８２ｂの実行によりＥＥＰＲＯＭ１４４に記憶された設定値データ１４４ａに基づいて、メイン画質調整部２７１に所定の画質調整信号を出力することにより、映像信号に対して、明るさ、コントラスト等の画質調整処理を行う機能を実現させるプログラムである。
当該画像出力プログラム２８２ｄの実行により、表示画面１２ａには、ユーザにより設定された値の画質調整パラメータに基づく画像が表示されることとなる。
【００６３】
以上説明したテレビジョン受像機２００によれば、選択プログラム２８２ａの実行により複数の画質調整パラメータのうちから、一の画質調整パラメータが選択された場合に、ＣＰＵ２８１による画質調整プログラム２８２ｂの実行により、当該一の画質調整パラメータ変更前の元画像と、当該元画像よりも画質調整パラメータの値が大きい第１の参考画像又は当該元画像よりも画質調整パラメータの値が小さい第２の参考画像が表示画面１２ａに表示されるので、ユーザは、元画像と、第１の参考画像又は第２の参考画像を同時に見比べることが可能となって、画質調整パラメータの値の変更が元画像に如何なる効果を及ぼすかを、当該画像パラメータの値を変更しなくとも視覚的に把握することができ、より好適に、最適な画質調整パラメータの値に変更することができることとなる。
また、ユーザのキー入力部１３による操作により、一の画質調整パラメータの値を変更するための操作がなされた場合或いは一定期間経過後に、第１の参考画像又は第２の参考画像が表示画面１２ａから消去されるので、参考画像を表示又は非表示させるための特別な操作が不必要となって、画質調整操作における操作性を向上させることができる。
【００６４】
なお、本発明は、上記実施の形態に限定されることなく、本発明の趣旨を逸脱しない範囲において種々の改良並びに設計の変更を行っても良い。
例えば、本実施形態において、第１の参考画像及び第２の参考画像は、元画像と同様に放送信号を用いて生成するものとして説明を行ったが、第１の参考画像、第２の参考画像、元画像生成用のデータがＲＯＭ１４５、２８２に予め格納されている設計であっても良い。
また、本実施形態１、２において、画像表示装置としてテレビジョン受像機１００、２００を用いて説明を行ったが、表示画面に表示する画像は、例えば、ＤＶＤ（Digital Versatile Disc）再生装置、ＰＣ（Personal Computer）等により再生された画像であっても良い。
また、本実施形態１、２は、表示画面１４ａに、画質調整パラメータ変更前の元画像と、画質調整パラメータの値が最大の第１の参考画像及び／又は画質調整パラメータの値が最小の第２の参考画像とを表示させるものとして説明を行ったが、表示画面に表示される参考画像の数、参考画像の画質調整パラメータの値、表示方法等はこれに限られない。
また、ユーザが変更可能な画質調整パラメータは、明るさ、コントラスト、色の濃さ、色合い、シャープネス等に限られることなく、例えば、色温度、黒補正、ガンマ補正等であっても良い。
また、本実施形態１、２では、分配部４において一つの映像信号を複数の映像信号に分配する構成を用いて説明したが、チューナ部２が複数設けられて、それぞれのチューナ部に入力された複数の映像信号を別経路で処理する構成であっても良く、また、切換部において所定のタイミングで切換接続することにより、一つの映像信号を時間差で分割して複数の映像信号を生成する構成であっても良い。
【図面の簡単な説明】
【００６５】
【図１】本発明にかかる実施形態１のテレビジョン受像機の要部構成を示すブロック図である。
【図２】実施形態１におけるサブ画像処理部の要部構成を示すブロック図である。
【図３】実施形態１における選択プログラムの実行に基づく表示画面の表示を例示する図である。
【図４】実施形態１における画質調整プログラムの実行に基づく表示画面の表示を例示する図である。
【図５】本発明にかかる実施形態２のテレビジョン受像機の要部構成を示すブロック図である。
【図６】実施形態２におけるサブ画像処理部の要部構成を示すブロック図である。
【図７】実施形態２における画質調整プログラムの実行に基づく表示画面の表示を例示する図である。
【符号の説明】
【００６６】
１００、２００      テレビジョン受像機（画像表示装置）
１２ａ              表示画面
１３                キー入力部（操作手段、選択手段）
１４２、２８１      ＣＰＵ（選択手段、画質調整手段）
１４５ａ、２８２ａ  選択プログラム（選択手段）
１４５ｂ、２８２ｂ  画質調整プログラム（画質調整手段）
【図１】
2007181030.tif 000003
【図２】
2007181030.tif 000004
【図３】
2007181030.tif 000005
【図４】
2007181030.tif 000006
【図５】
2007181030.tif 000007
【図６】
2007181030.tif 000008
【図７】
2007181030.tif 000009